(57)【要約】【課題】組立て・分解作業の便を有効に向上させ、部品点数の削減や、これによるコストダウンを有効に図ることができるファイルを提供する。【解決手段】止め具１は、取付面ｈに背向する表紙体Ｈの裏面において挿通孔ｈ１、ｈ２、ｈ３の対応位置にそれぞれ配置される一対の裏当部１０と、これら裏当部１０の間を連結する連結部１２と、各裏当部１０から挿通孔ｈ１、ｈ２、ｈ３を介して取付面ｈ側に引き出される一対の係合部１１１、１１２、１１３とを具備しており、引き出した一対の係合部１１１、１１２、１１３を利用して、綴じ具Ｂを取付面ｈに着脱可能に取り付けるようにしている。【選択図】図６
2004338261.tif 000002
【特許請求の範囲】
【請求項１】
表紙体に止め具を介して綴じ具を取り付けることにより構成されるファイルであって、
前記表紙体は、綴じ具を取り付ける取付面の離間した２位置に挿通部を有するものであり、
前記止め具は、綴じ具の取付面に背向する表紙体の裏面において前記挿通部の対応位置にそれぞれ配置される一対の裏当部と、これら裏当部の間を連結する連結部と、前記各裏当部から前記挿通部を介して取付面側に引き出される一対の係合部とを具備しており、
引き出した一対の係合部を利用して、綴じ具を取付面に着脱可能に取り付けるようにしていることを特徴とするファイル。
【請求項２】
一対の裏当部、連結部及び一対の係合部を、樹脂により一体成形している請求項１記載のファイル。
【請求項３】
連結部が、伸縮することによって裏当部間の距離を可変とする弾性変形可能なものである請求項１又は２記載のファイル。
【請求項４】
連結部に引っ張り方向若しくは圧縮方向の弾性力を蓄積した状態で各係合部を各々対応する挿通部に通過させ、その位置で連結部を復元させることによって、係合部を、裏当部との間に綴じ具及び表紙体を挟み込むようにして当該綴じ具に着脱可能に係わり合わせるようにしている請求項３記載のファイル。
【請求項５】
係合部を、裏当部を表紙体の裏面に固定するための機能を主とする第１係合子と、裏当部との間に綴じ具及び表紙体を挟み込む機能を主とする第２係合子とから構成している請求項４記載のファイル。
【請求項６】
連結部が樹脂製のものであり、その樹脂がパンタグラフ構造によって伸縮可能とされている請求項３〜５記載のファイル。
【請求項７】
表紙体に止め具を介して綴じ具を取り付けることにより構成されるファイルであって、
前記表紙体は、綴じ具を取り付ける取付面に挿通部を有するものであり、
前記止め具は、綴じ具の取付面に背向する表紙体の裏面において前記挿通部の対応位置に配置される裏当部と、この裏当部から前記挿通部を介して取付面側に引き出される係合部とを具備しており、
引き出した係合部を取付面に沿ってスライド移動させ、綴じ具に直接係わり合わせることによって、綴じ具を取付面に着脱可能に取り付けるようにしていることを特徴とするファイル。
【請求項８】
係合部を、裏当部を表紙体の裏面に固定するための機能を主とする第１係合子と、裏当部との間に綴じ具及び表紙体を挟み込む機能を主とする第２係合子とから構成している請求項７記載のファイル。
【請求項９】
表紙体が、紙及び／又は樹脂をその素材とするものであり、綴じ具が金属をその素材とするものである請求項１〜８記載のファイル。
【請求項１０】
請求項１〜９記載のファイルを構成する止め具であって、
綴じ具の取付面に背向する表紙体の裏面において前記挿通部の対応位置に配置される裏当部と、この裏当部から前記挿通部を介して取付面側に引き出される係合部とを具備する止め具。
【発明の詳細な説明】
【０００１】
【発明の属する技術分野】
本発明は、書類その他、紙用類等を綴じ込んでおくことができるようにしたファイル及び止め具に関するものである。
【０００２】
【従来の技術】
この種のファイルとして、綴じ具に、リング金具、パイプ金具、フラット金具等を使用した種々のものが開発されている。
【０００３】
例えば、表紙体は、綴じ具を取り付ける取付面の離間した２位置に挿通部を有し、止め具は、綴じ具の取付面に背向する表紙体の裏面において前記挿通部の対応位置にそれぞれ配置される一対の裏当部材と、綴じ具の取付面側において前記挿通部の対応位置にそれぞれは位置される一対のバックルとを備え、前記各裏当部材に、前記挿通部を介して取付面側に引き出される係合爪が設けてある。
【０００４】
そして、引き出した係合爪にそれぞれバックルを係合させ、そのバックルで、綴じ具を表紙体もろとも裏当部材との間に挟み込んだ状態に取り付けることができるようにしている（例えば、特許文献１参照）。
【０００５】
【特許文献１】
特許第３２３０５２１号公報
【０００６】
【発明が解決しようとする課題】
ところが、このようなものは、それぞれ分離した２位置で、２つの裏当部材を表紙体に挿し通し、その裏当部材にそれぞれ別体のバックルを係わり合わせなければならない。このように、裏当部材やバックルがそれぞれ単独のパーツであることから、取り扱いが煩雑であり、組立て・分解作業にも手間も掛かり、作業性が悪いという問題がある。
【０００７】
また、裏当部材及びバックルからなる止め具は、綴じ具を表紙体に取り付けることによって初めて自身が表紙体に取り付くものであり、表紙体に仮保持しておくような機能はない。このため、取り扱いや組立て・分解作業が一層不便になる要因となっている。
【０００８】
本発明は、このような課題を有効に解決するファイルを提供することを目的としている。
【０００９】
【課題を解決するための手段】
本発明は、かかる目的を達成するために、次のような構成を採用したものである。
【００１０】
すなわち、本発明に係るファイルは、表紙体に止め具を介して綴じ具を取り付けることにより構成されるものであって、前記表紙体は、綴じ具を取り付ける取付面の離間した２位置に挿通部を有するものであり、前記止め具は、綴じ具の取付面に背向する表紙体の裏面において前記挿通部の対応位置にそれぞれ配置される一対の裏当部と、これら裏当部の間を連結する連結部と、前記各裏当部から前記挿通部を介して取付面側に引き出される一対の係合部とを具備しており、引き出した一対の係合部を利用して、綴じ具を取付面に着脱可能に取り付けるようにしていることを特徴とする。
【００１１】
このようなものであれば、止め具を一体的に取り扱うことができるので、組立て・分解作業の便を有効に向上させることができる。
【００１２】
また、本発明に係るファイルの具体的な構成としては、一対の裏当部、連結部及び一対の係合部を、樹脂により一体成形しているものが挙げられる。このようなものであれば、部品点数の削減、これによる製造工程の簡素化によって、コストダウンを有効に図ることが可能となる。
【００１３】
また、本発明に係るファイルは、連結部が、伸縮することによって裏当部間の距離を可変とする弾性変形可能なものであることも望ましい。このようなものであれば、係合部が取付面に沿ったスライド動作で綴じ具に係わり合うことになり、バックル等を用いることなく自身で表紙体に取り付き、その脱着が容易になるとともに、その係わり合い状態を連結部の弾性を利用して有効に維持することができる。
【００１４】
特に、本発明に係るファイルは、連結部に引っ張り方向若しくは圧縮方向の弾性力を蓄積した状態で各係合部を各々対応する挿通部に通過させ、その位置で連結部を復元させることによって、係合部を、裏当部との間に綴じ具及び表紙体を挟み込むようにして当該綴じ具に着脱可能に係わり合わせるようにしているものが効果的である。このようなものであれば係合部が綴じ具及び表紙体に対して挟み込むように係わり合うので、取付状態を確実なものにすることができる。
【００１５】
加えて、本発明に係るファイルは、係合部を、裏当部を表紙体の裏面に固定するための機能を主とする第１係合子と、裏当部との間に綴じ具及び表紙体を挟み込む機能を主とする第２係合子とから構成している。このようなものであれば、綴じ具を装着しないときは第１係合子により止め具を表紙体に固定した状態に保つことができる。
【００１６】
またさらに、本発明に係る連結部が樹脂製のものであり、その樹脂がパンタグラフ構造によって伸縮可能とされている。このようなものであれば、連結部を樹脂成形により作っても有効な弾性を付与することができる。
【００１７】
また、本発明に係るファイルは、表紙体に止め具を介して綴じ具を取り付けることにより構成されるファイルであって、前記表紙体は、綴じ具を取り付ける取付面に挿通部を有するものであり、前記止め具は、綴じ具の取付面に背向する表紙体の裏面において前記挿通部の対応位置に配置される裏当部と、この裏当部から前記挿通部を介して取付面側に引き出される係合部とを具備しており、引き出した係合部を取付面に沿ってスライド移動させ、綴じ具に直接係わり合わせることによって、綴じ具を取付面に着脱可能に取り付けるようにしていることを特徴とする。
【００１８】
このようなものであれば、止め具は裏当部と係合部によってバックルに相当する部材を用いることなく自身で表紙体に取り付き、また脱着することができるので、必要であれば表紙体に止め具を仮保持させておくようなこともでき、組立て・分解作業の便を有効に向上させることができる。
【００１９】
【発明の実施の形態】
以下、本発明の一実施形態を、図面を参照して説明する。
【００２０】
本実施形態に係るファイルＦは、図１に示すように、取付面ｈを形成する背表紙Ｈ１を備えた、紙あるいは樹脂をその素材とする表紙体Ｈと、背表紙Ｈ１の取付面ｈに取り付けられた金属製の綴じ具Ｂと、止め具１とから構成されるものであって、綴じ具Ｂが背表紙Ｈ１に裏側から取り付けられた止め具１を介して表紙体Ｈに着脱可能に取り付けられたものである。
【００２１】
本実施形態に係る止め具１は、図２の斜視図に示すように、その長手方向の両端にそれぞれ位置する裏当部１０と、各裏当部１０の所定箇所に設けられた係合部１１と、両裏当部１０の間を接続する連結部１２とからなり、これら裏当部１０、係合部１１及び連結部１２は樹脂により一体成形されている。
【００２２】
裏当部１０は、背表紙Ｈ１の取付面ｈの裏側から所定距離離間した２位置において表紙体Ｈに当てがわれるもので、その２位置は綴じ具Ｂを所定取付位置に配置したときに長手方向の両端が位置する部位にそれぞれ対応している。両裏当部１０の間は連結部１２を介して接続されている。
【００２３】
係合部１１は、裏当部１０の背表紙Ｈ１に接触する面に設けられたもので、第１係合子として機能する操作部１１３と、第２係合子として機能する第１係合突起１１１と第２係合突起１１２とからなる。
【００２４】
第１係合突起１１１は裏当部１０の長手方向の端部付近に設けられており、表紙体Ｈに向けて立ち上がる挿通部分１１１ａと、該挿通部分１１１ａの先端より連結部１２に向けて直角に屈曲した係合部分１１１ｂとから構成されている。挿通部分１１１ａの立ち上がる高さは、表紙体Ｈと綴じ具Ｂの底板ｂとを重ねた際の厚みに略合致させてある。挿通部分１１１ａの立ち上がり位置に隣接した箇所には幅が挿通部分１１１ａと略同様であるスリット１１１ｃがそれぞれ開口している。
【００２５】
第２係合突起１１２は前記第１係合突起１１１に近接した箇所に設けられており、該第２係合突起１１２の形状、構成は第１係合突起１１１と同様であり、挿通部分１１２ａ、係合部分１１２ｂ及びスリット１１２ｃを有している。
【００２６】
操作部１１３は裏当部１０の端部中央から立ち上がる突起であり、表紙体Ｈに向けて立ち上がる挿通部分１１３ａと、該挿通部分１１３ａの先端に拡開して設けられた楕円状の操作部分１１３ｂからなる。挿通部分１１３ａの立ち上がる高さは、前記第１係合突起１１１及び第２係合突起１１２における挿通部分１１１ａ、１１２ａと同様、表紙体Ｈの厚みに略合致させてあり、操作部分１１３ｂの上面部分には該操作部１１３を指で操作する際に使用者が扱いやすいよう、滑り止めの凹凸が設けられている。
【００２７】
連結部１２は、裏当部１０をそれぞれ遠ざける方向に力を加える際、止め具１が長手方向に伸張可能となるよう、樹脂線条体を集合させた菱形構造体を長手方向に２つ連結したパンタグラフ構造となっている。前記菱形の角に該当する部分及び前記菱形を接続した部分は、その内側或いは外側の肉を部分円状に盗み、この部位に伸張又は圧縮した際に弾性力を蓄積する樹脂バネを構成している。
【００２８】
背表紙Ｈ１の取付面ｈの拡大図を図３に示す。綴じ具Ｂを構成する底板ｂの長手方向の両端付近にそれぞれ対応する離間した２位置には、前記止め具１が所定距離伸張した状態で各々の裏当部１０に設けられた第１係合突起１１１、第２係合突起１１２及び操作部１１３が挿通可能な位置に、第１挿通孔ｈ１、第２挿通孔ｈ２及び操作部挿通孔ｈ３がそれぞれ設けられている。また、挿通後、連結部１２が縮退する動作に伴って両裏当部１０同士が互いに相寄る方向に移動することができるように、第１挿通孔ｈ１及び第２挿通孔ｈ２は第１係合突起１１１及び第２係合突起１１２の係合部分１１１ａ、１１２ａが挿通する位置よりも上記移動側に余裕をもたせて開口させており、また、操作部挿通孔ｈ３の上記移動側には挿通部分１１３ａを挿入可能な逃げｈ３ａが設けられている。ｈ３ａの幅寸法は、操作部１１３の挿通部分１１３ａの幅寸法と略合致させている。
【００２９】
綴じ具Ｂの取付箇所付近の拡大図を図４に示す。本実施形態に係る綴じ具Ｂは、綴じようとする紙葉類に設けられた開口に対応する箇所に綴じ桿Ｓを有し、該綴じ桿Ｓを前記開口に挿し通すことにより紙葉類を綴じるものである。背表紙Ｈ１の取付面ｈに接するのはこの綴じ具Ｂの下端側に位置する底板ｂである。この底板ｂを取付面ｈ上に載置した状態で、前記取付面ｈの第１挿通孔ｈ１に対応する箇所、すなわち該底板ｂの端部にはコの字型の切欠ｂ１が幅方向に２箇所、図示しない他端も含めて計４箇所設けられているとともに、前記第２挿通孔ｈ２に対応する箇所には矩形状の開口ｂ２が、図示しない他端も含めて計４箇所設けられている。該開口ｂ２の一辺には下方向へ突出した切り起こしｂ３が設けられ、該切り起こしｂ３の突出寸法は背表紙Ｈ１の厚み寸法に略一致したものとなっている。
【００３０】
次に、本実施形態に係るファイルＦにおいて、表紙体Ｈに止め具１を仮保持させる手順について説明する。まず、止め具１の一方の裏当部１０を背表紙Ｈ１に取付面ｈの裏側からあてがい、第１係合突起１１１、第２係合突起１１２及び操作部１１３を背表紙Ｈ１に設けられた一方の第１挿通孔ｈ１、第２挿通孔ｈ２及び操作部挿通孔ｈ３に通過させ、その状態で他方の裏当て部１０を、操作部１１３に指を掛けるなどして連結部１２が伸張する方向に引っ張って、操作部１１３を背表紙Ｈ１の操作部挿通孔ｈ３に通過させる。このとき、第１係合突起１１１及び第２係合突起１１２が同時あるいは前後して第１挿通孔ｈ１及び第２挿通孔ｈ２を通過する。そして、この状態で手を離すことにより、伸張させた連結部１２が縮退し、操作部１１３が操作部挿通孔ｈ３に設けられた逃げｈ３ａの位置に嵌入された状態となる。この状態では操作部１１３の操作部分１１３ｂ及び第１係合突起１１１及び第２係合突起１１２の係合部分１１１ｂ、１１２ｂが取付面ｈより突出した状態となり、第１係合突起１１１及び操作部１１３の挿通部分１１１ａ、１１３ａが第１挿通孔ｈ１及び操作部挿通孔ｈ３に設けられた逃げｈ３ａと接した状態となり、止め具１が背表紙Ｈ１に固定された状態、つまり止め具１が表紙体Ｈに仮保持された状態となる。なお、この状態において、連結部１２には縮み方向の弾性が残存しているとともに、第２係合突起１１２の挿通部分１１２ａは第２挿通孔ｈ２に接触していない状態となっている。
【００３１】
次に、表紙体Ｈに止め具１を仮保持させた状態より綴じ具Ｂを装着する際の手順及び装着した状態について図６、図７を用いて説明する。表紙体Ｈに止め具１を仮保持させた状態から綴じ具Ｂを固定するためには、まず、綴じ具Ｂの一方の切欠ｂ１を挿通部分１１１ａに嵌め込み、切り起こしｂ３を第２挿通孔ｈ２へ挿入させる。次に、綴じ具Ｂの他方の切り起こしｂ３を第２係合突起１１２に当接させながら第２挿通孔ｈ２へ挿入させる。そうすることにより、切り起こしｂ３が第２挿通孔ｈ２へ挿入されると同時に第２係合突起１１２が切り起こしｂ３を第２挿通孔ｈ２中央寄り内縁とで挟んで、綴じ具Ｂが背表紙Ｈ１に装着された状態となる。ここで、切り起こしｂ３を第２挿通孔ｈ２へ挿入する際に、操作部１１３を指でスライドさせ、一時的に第２係合突起１１２を退避させるようにしてもよい。
【００３２】
綴じ具Ｂを表紙体Ｈに装着した状態において、連結部１２には縮み方向の弾性が残存しており、第１係合突起１１１の挿通部分１１１ａは第１挿通孔ｈ１及び切欠ｂ１に接するとともに該切欠ｂ１には係合部分１１１ｂも接している。また、第２係合突起１１２は切り起こしｂ３及び底板ｂの上面とも係合した状態となっている。すなわち、切り起こしｂ３は第２挿通孔ｈ２に接していることから、第２係合突起１１２は切り起こしｂ３を介して第２挿通孔ｈ２と係合している状態となっている。また、このとき操作部１１３の挿通部分１１３ａは操作部挿通孔ｈ３の逃げｈ３ａに引き込まれた状態にある。
【００３３】
この状態において第１係合突起１１１、第２係合突起１１２と裏当部１０が綴じ具Ｂの底板ｂと表紙体Ｈを挟み込んでいるため、綴じ具Ｂが表紙体Ｈの取付面ｈから法線方向に解離する方向への移動及び長手方向へのスライド移動ができない。さらに、切り起こしｂ３と第２挿通孔ｈ２の幅寸法が略一致しているため、綴じ具Ｂは幅方向の移動もできない状態である。つまり、この状態において綴じ具Ｂは表紙体Ｈに対してどの方向にも移動不能な固定状態となる。
【００３４】
ここで、表紙体Ｈの個体差等により、綴じ具Ｂの切り起こしｂ３の立ち上がる長さが表紙体Ｈの厚みよりも長く、切り起こしｂ３の先端部分が表紙体Ｈの取付面ｈの裏側から突出してしまう場合も生じうるが、そのような場合であっても、切り起こしｂ３の先端は裏当部１０に設けられたスリット１１２ｃに挿入されるため、切り起こしｂ３の先端が裏当部１０に接して係合作用を阻害するようなことはない。また、切欠ｂ１の位置に切り起こしを有するような別の綴じ具を用いたとしても、該切り起こしの先端部分は第１係合突起１１１に隣接するスリット１１１ｃ通ることとなるため、前記同様係合作用が阻害されるということはない。
【００３５】
なお、綴じ具Ｂを表紙体Ｈから分離させる際には、止め具１の操作部１１３をスライドさせることにより止め具１を伸張させながら、綴じ具Ｂと止め具１との係合を解除すれば、容易に背表紙Ｈ１から綴じ具Ｂを取り外すことができる。
【００３６】
本実施形態に係るファイルＦは上記したような構成、すなわち、紙や樹脂をその素材とする表紙体Ｈに止め具１を介して金属をその素材とする綴じ具Ｂを取り付ける構成としている。また、表紙体Ｈは、綴じ具Ｂを取り付ける取付面ｈの離間した２位置に挿通部たる挿通孔ｈ１、ｈ２、ｈ３を有している。そして止め具１は取付面ｈに背向する表紙体Ｈの裏面において組をなす挿通孔ｈ１、ｈ２、ｈ３の対応位置にそれぞれ配置される一対の裏当部１０と、これら裏当部１０の間を連結する連結部１２と、各裏当部１０から挿通孔ｈ１、ｈ２、ｈ３を介して取付面ｈ側に引き出される一対の係合部１１１、１１２、１１３（１１３は係合部たる操作部）を具備し、引き出した一対の係合部１１１、１１２、１１３を利用して、綴じ具Ｂを取付面ｈに着脱可能に取り付けている。そうすることにより、使用者は止め具１を一体的に取り扱うことができる。そのため、ファイルＦを容易に組立てることができるとともに、分別廃棄を行う際の分解作業の便を有効に向上させることができ、表紙体Ｈが劣化したときの綴じ具Ｂの使いまわしも簡単にできるようになる。
【００３７】
また、止め具１を構成している一対の裏当部１０、連結部１２及び一対の係合部１１を樹脂により一体成形していることにより、ファイルＦに係る部品点数の削減を実現している。そして、これによる製造工程の簡素化によって、ファイルＦのコストダウンを有効に図ることが可能となる。
【００３８】
止め具１においては、連結部１２が樹脂製のものであり、その樹脂がパンタグラフ構造によって伸縮可能とされているため、連結部１２に有効な弾性を付与することを可能ならしめている。連結部１２がそのように伸縮することによって裏当部１０間の距離を可変とする弾性変形可能な止め具１とすることにより、係合部１１が取付面ｈに沿ったスライド動作で綴じ具Ｂに係わり合うことになり、バックル等を用いることなく止め具１自身で表紙体Ｈに取り付き、その脱着が容易になるとともに、その係わり合い状態を連結部１２の弾性を利用して有効に維持することができる。
【００３９】
特に、表紙体Ｈに止め具１を介して綴じ具Ｂを取り付ける際には、連結部１２に引っ張りによる弾性力を蓄積した状態で、各係合部１１を各々対応する挿通部たる挿通孔ｈ１、ｈ２、ｈ３に通過させ、そしてその位置で連結部１２を復元させることによって、係合部１１と裏当部１０との間に綴じ具Ｂ及び表紙体Ｈを挟み込むようにして当該綴じ具Ｂに着脱可能に係わり合わせるようにしている（図６、図７）。そのため、係合部１１が綴じ具Ｂ及び表紙体Ｈに対して挟み込むように係わり合うので、綴じ具Ｂの取付状態を確実なものにすることができる。
【００４０】
加えて、本実施形態に係るファイルＦは、係合部１１を、裏当部１０を表紙体Ｈの裏面に固定するための機能を主とする第１係合子として機能する操作部１１３と、裏当部１０との間に綴じ具Ｂ及び表紙体Ｈを挟み込む機能を主とする第２係合子として機能する第１係合突起１１１及び第２係合突起１１２とから構成している。そのため、綴じ具Ｂを装着しないときは操作部１１３により止め具１を表紙体Ｈに仮保持した状態に保つことができ（図５）、表紙体Ｈの裏面に背見出し等が配置されて予め綴じ具Ｂをセットしておかなければならないようなものにおいては特に有効なものとなる。
【００４１】
また、本実施形態に係るファイルＦは、表紙体Ｈに止め具１を介して綴じ具Ｂを取り付けることにより構成され、表紙体Ｈは綴じ具Ｂを取り付ける取付面ｈに挿通部たる挿通孔ｈ１、ｈ２、ｈ３を有するものとしている。止め具１は、綴じ具Ｂの取付面ｈに背向する表紙体Ｈの裏面において挿通孔ｈ１、ｈ２、ｈ３の対応位置に配置される裏当部１０と、この裏当部１０から挿通孔ｈ１、ｈ２、ｈ３を介して取付面ｈ側に引き出される係合部１１とを具備するものである。そして、引き出した係合部１１を取付面ｈに沿ってスライド移動させ、綴じ具Ｂに直接係わり合わせることによって、綴じ具Ｂを取付面ｈに着脱可能に取り付けるようにしている。このため、止め具１は裏当部１０と係合部１１によってバックルに相当する別体の部材を用いることなく、当該止め具１それ自体で表紙体Ｈに取り付き・脱着することができるので、上記のように必要であれば表紙体Ｈに止め具１を仮保持させておくようなこともできる。そして、ファイルＦを組立てる作業及び分解する作業の便を有効に向上させることができる。
【００４２】
次に本発明の別の実施形態である、圧縮による弾性力を蓄積した状態で表紙体Ｈ２及び綴じ具Ｂ２と係わり合う止め具２について図８を用いて説明する。止め具２は裏当て部２０、係合部２１の第１係合子２１１及び連結部２２の基本的な構造については上述した止め具１と略同様である。しかし、図８（Ａ）の側面模式図に示すように、係合部２１の第２係合子２１２が屈曲する方向が、止め具１の第１係合突起１１１及び第２係合突起１１２とは逆の方向となっている。すなわち、係合部分２１２ｂが挿通部分２１２ａに対して止め具２の両端へ向かってそれぞれ突出するように第２係合子２１２が屈曲している。
【００４３】
この止め具２を表紙体Ｈ２を介して綴じ具Ｂ２を固定した際の要部側断面模式図を図８（Ｂ）に示す。綴じ具Ｂ２を表紙体Ｈ２に装着した状態において、連結部２２には圧縮による弾性を残存させており、第２係合子２１２の係合部分２１２ａが表紙体Ｈ２に設けられた挿通孔ｈ２１及び底板ｂ２０に設けられた開口ｂ２２を挿通するとともに、係合部分２１２ｂが底板ｂ２０に接した状態となり、表紙体Ｈ及び綴じ具Ｂ２を止め具２の裏当部２０及び係合部分２１２ｂが挟み込んだ状態となっている。そうすることにより、上記止め具１と同様、綴じ具Ｂ２は表紙体Ｈに対してどの方向にも移動不能な固定状態となる。
【００４４】
なお、各部の具体的な構成は、上述した実施形態のみに限定されるものではない。たとえば、上記実施形態においてはパイプ金具を採用した綴じ具Ｂを用いていたが、該パイプ金具の代わりにリング金具やフラット金具を採用した綴じ具を用いてもよい。また、係合部や挿通孔の具体的な位置や数についても、綴じ具の形状、仕様に応じて変更を施したものであってもよい。加えて、連結部の構造は上記実施形態においてパンタグラフ構造としたが、連結部の構造としてはほかにも波形のものや、網目状のものなど伸縮可能なものであれば本発明に係るファイルに適用することができる。
【００４５】
その他の各部の構成も、本発明の趣旨を逸脱しない範囲で種々変形が可能である。
【００４６】
【発明の効果】
本発明は、以上説明した構成であるから、ファイルの組立て・分解作業の便を有効に向上させることができるとともに、部品点数の削減や、これによるコストダウンを有効に図ることが可能となる。
【図面の簡単な説明】
【図１】本実施形態に係るファイルを示す斜視図。
【図２】同実施形態に係る止め具を示す斜視図。
【図３】同実施形態に係る表紙体Ｈの要部拡大斜視図。
【図４】同実施形態に係る綴じ具の要部拡大斜視図。
【図５】同実施形態の止め具の仮保持状態を示す要部拡大斜視図。
【図６】同実施形態の綴じ具の取付状態を示す要部拡大斜視図。
【図７】同実施形態の綴じ具の取付状態を示す要部拡大断面図。
【図８】本発明の別の実施形態に係る止め具を示す模式図。
【符号の説明】
１、２…止め具
１０、２０…裏当部
１１、２１…係合部
１１１、２１２…第２係合子（第１係合突起）
１１２…第２係合子（第２係合突起）
１１３、２１１…第１係合子（操作部）
１１１ａ、１１２ａ、１１３ａ、２１２ａ…挿通部分
１１１ｂ、１１２ｂ、２１２ｂ…係合部分
１１１ｃ、１１２ｃ…スリット
１１３ｂ…操作部分
１２、２２…連結部
Ｈ、Ｈ２…表紙体
Ｈ１…背表紙
ｈ  …取付面
ｈ１…第１挿通孔
ｈ２…第２挿通孔
ｈ３…操作部挿通孔
ｈ３ａ…逃げ
ｈ２１…挿通孔
Ｂ、Ｂ２…綴じ具
ｂ、ｂ２０…底面
ｂ１…切欠
ｂ２、ｂ２２…開口
ｂ３…切り起こし
【図１】
2004338261.tif 000003
【図２】
2004338261.tif 000004
【図３】
2004338261.tif 000005
【図４】
2004338261.tif 000006
【図５】
2004338261.tif 000007
【図６】
2004338261.tif 000008
【図７】
2004338261.tif 000009
【図８】
2004338261.tif 000010
【手続補正書】
【提出日】平成15年8月29日(2003.8.29)
【手続補正１】
【補正対象書類名】明細書
【補正対象項目名】請求項６
【補正方法】変更
【補正の内容】
【請求項６】
連結部が樹脂製のものであり、その樹脂製連結部がパンタグラフ構造によって伸縮可能とされている請求項３〜５記載のファイル。
【手続補正２】
【補正対象書類名】明細書
【補正対象項目名】００１６
【補正方法】変更
【補正の内容】
【００１６】
またさらに、本発明に係る連結部が樹脂製のものであり、その樹脂製連結部がパンタグラフ構造によって伸縮可能とされている。このようなものであれば、連結部を樹脂成形により作っても有効な弾性を付与することができる。


【手続補正３】
【補正対象書類名】明細書
【補正対象項目名】００４２
【補正方法】変更
【補正の内容】
【００４２】
次に本発明の別の実施形態である、圧縮による弾性力を蓄積した状態で表紙体Ｈ２及び綴じ具Ｂ２と係わり合う止め具２について図８を用いて説明する。止め具２は裏当て部２０、係合部２１の第１係合子２１１及び連結部２２の基本的な構造については上述した止め具１と略同様である。しかし、図８（Ａ）の側面模式図に示すように、係合部２１の第２係合子２１２が屈曲する方向が、止め具１の第１係合突起１１１及び第２係合突起１１２とは逆の方向となっている。すなわち、係合部分２１２ｂが挿通部分２１２ａに対して止め具２の両端へ向かってそれぞれ突出するように第２係合子２１２が屈曲している。また、係合部２１の第１係合子２１１が屈曲する方向も、止め具１の第１係合突起１１１及び第２係合突起１１２とは逆の方向となっている。


【手続補正４】
【補正対象書類名】明細書
【補正対象項目名】００４３
【補正方法】変更
【補正の内容】
【００４３】
この止め具２を表紙体Ｈ２を介して綴じ具Ｂ２を固定した際の要部側断面模式図を図８（Ｂ）に示す。綴じ具Ｂ２を表紙体Ｈ２に装着した状態において、連結部２２には圧縮による弾性を残存させており、第２係合子２１２の係合部分２１２ａが表紙体Ｈ２に設けられた挿通孔ｈ２１及び底板ｂ２０に設けられた開口ｂ２２を挿通するとともに、係合部分２１２ｂが底板ｂ２０に接した状態となり、表紙体Ｈ２及び綴じ具Ｂ２を止め具２の裏当部２０及び係合部分２１２ｂが挟み込んだ状態となっている。そうすることにより、上記止め具１と同様、綴じ具Ｂ２は表紙体Ｈ２に対してどの方向にも移動不能な固定状態となる。